(57)【要約】【課題】移動しようとする重合物に対して摩擦による抵抗を与え、重合物のずれを防止する。【解決手段】互いに重なり合って用いられる重合物のうちの、少なくとも一方の重合物２に装着して、他方の重合物６がずれることを防止する、重合物の位置ずれ防止具１において、前記一方の重合物２には、前記他方の重合物６が移動しようとする方向に対して逆目となる方向に、繊維５が設けられていることを特徴としているため、他方の重合物６がずれようとする際に、他方の重合物６に摩擦による抵抗がかかり、他方の重合物６のずれを防止できる。【選択図】図２
2007131963.tif 000002
【特許請求の範囲】
【請求項１】
互いに重なり合って用いられる重合物のうちの、少なくとも一方の重合物に装着して、他方の重合物がずれることを防止する、重合物の位置ずれ防止具において、前記一方の重合物には、前記他方の重合物が移動しようとする方向に対して逆目となる方向に、繊維が設けられていることを特徴とする重合物の位置ずれ防止具。
【請求項２】
前記重合物の位置ずれ防止具は、衣服に装着されている請求項１に記載の重合物の位置ずれ防止具。
【請求項３】
前記重合物の位置ずれ防止具は、下半身に着用する衣服の上端部裏側に、周着されている請求項１又は２に記載の重合物の位置ずれ防止具。
【請求項４】
前記重合物の位置ずれ防止具は、上半身に着用する衣服の表裏表面のうち、少なくとも一方の面に周着されている請求項１又は２に記載の重合物の位置ずれ防止具。
【請求項５】
前記重合物の位置ずれ防止具は、敷物に装着されている請求項１に記載の重合物の位置ずれ防止具。
【発明の詳細な説明】
【技術分野】
【０００１】
本発明は、互いに重なり合う重合物同士の間での滑りや、移動、ずれを防止することができる重合物の位置ずれ防止具に関する。
【背景技術】
【０００２】
日常生活において、互いに重なり合って使用されることによって、所定の機能を発揮する物（以下、「重合物」と称す）は数多く存在する。
【０００３】
このような重合物の一例としては、衣服が挙げられる。この衣服は、従来の習慣、ファッション性等の理由から様々な組み合せで着用され、２種類の衣服を重ね合わせて着用するするケースも多く、例えば、ズボンとシャツといった組み合わせは最も一般的である。
【０００４】
しかし、このズボンとシャツの組み合わせにおいて、ズボンのウエスト部内側にシャツを挿入して着用した場合、着用者の動作によっては、シャツがずれたり、ずり上がってズボンから飛び出したりしてしまい、見栄えを損なってしまうことがある。そのため、従来、このようなシャツのずれや、ずり上がりを防止するため、ズボンのウエスト部内側に、所定の厚みの弾力性のある滑り止め材を設けた、重合物の位置ずれ防止具が提案されている（例えば、特許文献１参照）。
【０００５】
また、上記した重合物の他の例としては、座布団やマット等の敷物と、該敷物が載置される絨毯や座椅子との組み合わせもある。しかし、この場合には、絨毯や座椅子に着座した者の姿勢や動作によっては、絨毯や座椅子に対して敷物が水平方向にずれたり、滑ったりし、着座した者が不快感や違和感を抱くことがある。そのため、従来、これらの敷物のずれや滑りを防止するため、ピン等の固定具によって敷物を絨毯や座椅子に固定する、重合物の位置ずれ防止具が使用されることもある。
【特許文献１】ＷＯ９８／１６１２７
【発明の開示】
【発明が解決しようとする課題】
【０００６】
しかしながら、上記した衣服に装着される従来の重合物の位置ずれ防止具は、大きな摩擦力を得るために、ズボン等のウエスト部の内側から、人体に向かって大きく突出している。従って、ズボン等を着用したときに、滑り止め材が人体を圧迫し、着用者が不快感を抱くおそれがあるといった問題があった。また、繊維以外の軟質のポリ塩化ビニル素材を使用しているため、クリーニング等の熱処理を行った場合に損傷するおそれがあるという問題があった。
【０００７】
さらに、上記した敷物に装着される従来の重合物の位置ずれ防止具は、敷物や絨毯等にピン等の固定具を取り付ける必要があるため、敷物や絨毯等が損傷したり、破損したりするおそれがあるといった問題があった。
【０００８】
本発明は、上記した課題を解決すべくなされたものであり、移動しようとする重合物に対して摩擦による抵抗を与え、重合物のずれを防止する、重合物の位置ずれ防止具を提供することを目的とするものである。
【課題を解決するための手段】
【０００９】
上記した課題を解決するため、本発明は、互いに重なり合って用いられる重合物のうちの、少なくとも一方の重合物に装着して、他方の重合物がずれることを防止する、重合物の位置ずれ防止具において、前記一方の重合物には、前記他方の重合物が移動しようとする方向に対して逆目となる方向に、繊維が設けられていることを特徴とする。
【００１０】
そして、前記重合物の位置ずれ防止具は、衣服に装着されていてもよい。また、前記重合物の位置ずれ防止具は、下半身に着用する衣服の上端部裏側に、周着されていてもよい。さらに、前記重合物の位置ずれ防止具は、上半身に着用する衣服の表裏両面のうち、少なくとも一方の面に周着されていてもよい。
【００１１】
さらにまた、前記重合物の位置ずれ防止具は、敷物に装着されていてもよい。
【発明の効果】
【００１２】
本発明によれば、重合物が移動しようとする方向に対して逆目となる方向に繊維が設けけられているため、移動しようとする重合物に対して摩擦による抵抗がかかり、重合物の位置ずれを確実に防止することができる。
【００１３】
また、衣服に装着した場合には、衣服を着用したときに、重合物の位置ずれ防止具の素材として繊維が採用されているため、繊維が人体を圧迫することがないことや、吸湿性や通気性もよいために、着用者が不快感を抱くおそれはない。
【００１４】
さらに、敷物に装着した場合には、繊維が敷物を損傷したり、破損したりするおそれがない。
【発明を実施するための最良の形態】
【００１５】
以下、図面を参照しつつ本発明の実施の形態について説明する。
【００１６】
まず、図１及び図２を参照しつつ、本発明の第１の実施形態に係る重合物の位置ずれ防止具について説明する。ここで、図１は本発明の第１の実施の形態に係る重合物の位置ずれ防止具を、ズボンに装着した状態を示す斜視図、図２は本発明の第１の実施の形態に係る重合物の位置ずれ防止具を、ズボンに装着した状態を示す側面図である。
【００１７】
本実施の形態に係る重合物の位置ずれ防止具１は、ズボン２の上端部３の裏側４に、全周に渡って繊維５が帯状に縫着されて構成されている。そして、この繊維５は、シャツ６が移動しようとする方向に対して逆目となる方向に起毛するように設けられている。
【００１８】
このような構成のもと、シャツ６は、ズボン２の内側７に挿入されて着用されると、着用者の動きによっては、ずり上がろうとする。しかし、ズボン２の上端部３の裏側４には、繊維５が、ずり上がろうとするシャツ６に対して逆目となる方向に起毛するように設けられているため、シャツ６は、ズボン２の上端部３の裏側４に設けられた繊維５によって、摩擦による抵抗を受ける。従って、シャツ６は、ずり上がりを抑制され、ずり上がることによってズボン２から飛び出してしまうことはない。
【００１９】
また、上記した重合物の位置ずれ防止具１は、ズボン２の上端部３の裏側４に設けられた繊維５のみによって構成されているため、ズボン２の着用者は、身体を圧迫される等の違和感を抱くことがない。
【００２０】
なお、上記した実施の形態においては、ズボンに装着した場合について説明したが、これは、単なる例示に過ぎず、本発明は、シャツ、ブラウス、下着類の上半身に着用する衣服や、スカート、ジーンズ、下着類の下半身に着用する衣服にも装着可能である。
【００２１】
また、上記した重合物の位置ずれ防止具１は、ズボン等の下半身に着用する衣服と、シャツ等の上半身に着用する衣服の、いずれか一方又は両方に装着し、重合物の位置ずれを防止できることは言うまでもない。
【００２２】
次に、図３及び図４を参照しつつ、本発明の第２の実施の形態に係る重合物の位置ずれ防止具ついて説明する。ここで、図３は本発明の第２の実施の形態に係る重合物の位置ずれ防止具を、座椅子に置かれた座布団に装着した状態を示す側面図、図４は本発明の第２の実施の形態に係る重合物の位置ずれ防止具を、座布団に装着した状態を示す側面図である。
【００２３】
本実施の形態に係る重合物の位置ずれ防止具１１は、座布団１３の裏側１５に縫着されており、座布団１３は、座椅子１９の着座部２０上に置かれている。そして、座椅子１９の着座部２０と接する座布団１３の裏側１５には、座椅子１９の前方への動きに対して逆目となる方向に起毛するように繊維１２が設けられている。
【００２４】
また、座布団１３の表側１６には、座布団１３の裏側１５に設けられた繊維１２の目の
方向を例えば矢印で表示する、識別マーク１８が設けられている。
【００２５】
このような構成のもと、人１７が、座椅子１９の背凭れ２１にもたれかかって、座椅子１９の着座部２０に置かれた座布団１３上に着座すると、座布団１３には、座椅子１９の着座部２０に沿って、座椅子１９の前方へ移動しようとする力が働く。
【００２６】
しかし、座椅子１９の着座部２０と接する、座布団１３の裏側１５には、繊維１２が、座椅子１９の前方への動きに対して逆目となる方向に起毛するように設けられているため、座布団１３は、座椅子１９の着座部２０に沿って前方へ移動しようとすると、繊維１２によって摩擦による抵抗を受ける。従って、この抵抗によって、座布団１３は、座椅子１９の着座部２０に沿って座椅子１９の前方へ移動しようとする力が抑制され、座椅子１９の前方へずれなくなる。
【００２７】
また、重合物の位置ずれ防止具１１は、ピン等の固定具と異なり、繊維５のみによって構成されているため、座布団１３や、座椅子１９の着座部２０を傷つけることもない。
【００２８】
さらに、座布団１３の表側１６には、繊維１２の目の方向を表示する、識別マーク１８が設けられているため、使用者は、識別マーク１８を確認するだけで、座布団１３の適切な設置向きを簡単に判断できる。
【００２９】
なお、上記した実施の形態においては、重合物の位置ずれ防止具１１は、座椅子１９に置かれた座布団１３に装着した場合において説明したが、これは、単なる例示に過ぎず、本発明は、例えば、人が凭れ掛かって着座する可能性のある壁に近接した床１４に直接置かれた座布団１３の裏側等にも装着可能である。
【００３０】
また、上記した重合物の位置ずれ防止具１１は、上記した座布団１３に限らず、絨毯、マット等の他の敷物にも装着可能である。
【００３１】
さらに、上記した重合物の位置ずれ防止具１１は、座布団、絨毯、マット等の敷物のうちの、少なくとも一方又は両方の敷物に装着して、重合物の位置ずれを防止できることは言うまでもない。
【図面の簡単な説明】
【００３２】
【図１】本発明の第１の実施の形態に係る重合物の位置ずれ防止具を、ズボンに装着した状態を示す斜視図である。
【図２】本発明の第１の実施の形態に係る重合物の位置ずれ防止具を、ズボンに装着した状態を示す側面図である。
【図３】本発明の第２の実施の形態に係る重合物の位置ずれ防止具を、座椅子に置かれた座布団に装着した状態を示す側面図である。
【図４】本発明の第２の実施の形態に係る重合物の位置ずれ防止具を、座布団に装着した状態を示す側面図である。
【符号の説明】
【００３３】
１    重合物の位置ずれ防止具
２    ズボン
４    ズボン上端部裏側
５    繊維
６    シャツ
１１  重合物の位置ずれ防止具
１２  繊維
１３  座布団
【図１】
2007131963.tif 000003
【図２】
2007131963.tif 000004
【図３】
2007131963.tif 000005
【図４】
2007131963.tif 000006